(57)【要約】 【課題】    袋本体１の口１ａを開いたとき、袋本体１の底部１ｂが漏斗の如く細長い形状になると共に、開いた口がより水平となる嗜好性飲料抽出袋を提供する。【解決手段】  この嗜好性飲料抽出袋は、袋本体１とこれを囲繞し容器の口縁を挟んで係止するための係止具２とからなる。袋本体１は図３に示した略五角形片が重ね合わされてなる。略五角形片の下端から左右の延びる下左右辺δ及びεは封されている。略五角形片の水平である上辺α及び上辺αに連続している上左右辺β及びγが袋本体１の口に相当する。係止具２は、袋本体１に貼着されている上部２ｘと、袋本体１に貼着されておらず容器の口縁に係止しうる下部２ｙとを具備する。上部２ｘの上辺及び上左右辺は袋本体１の上辺α及び上左右辺β及びγと平行に配置されている。下部２ｙは、袋本体１の表裏において左右に二分割され、左係止具２ａと右係止具２ｂとなる。【選択図】  図３
2016131647.tif 000002
【特許請求の範囲】
【請求項１】
コーヒー粉等の被抽出物を収納しコーヒー等を抽出するための袋本体と、該袋本体を囲繞し、コーヒーカップ等の容器の口縁を挟んで係止するための係止具とからなる嗜好性飲料抽出袋において、
前記袋本体は
2016131647.tif 000005
なる左右対称の略五角形片が重ね合わされてなるものであり、該略五角形片の下端から左右の延びる下左右辺は封されていて、該略五角形片の下端が該袋本体の底部に相当し、該略五角形片の水平である上辺及び該上辺に連続している上左右辺が該袋本体の口に相当し、
前記係止具は、前記袋本体に貼着されている上部と、前記袋本体に貼着されておらず前記容器の前記口縁に係止しうる下部とを具備し、該上部の上辺及び上左右辺は前記袋本体の上辺及び上左右辺と平行に配置されており、該下部は前記袋本体の表裏面において左右に二分割されていて、前記袋本体の前記下左右辺に対応する下左右辺を内側に圧して前記袋本体の口を開いたとき、前記袋本体の表裏面に存在する左側の下部が左係止具となり、前記袋本体の表裏面に存在する右側の下部が右係止具となることを特徴とする嗜好性飲料抽出袋。
【請求項２】
係止具の上部において、袋本体の下左右辺に対応する部位に切り欠きが設けられている請求項１記載の嗜好性飲料抽出袋。
【請求項３】
袋本体の下左右辺に対応する係止具の下部の下左右辺に縦弱め線が設けられている請求項１記載の嗜好性飲料抽出袋。
【請求項４】
縦弱め線に直交する横弱め線が設けられている請求項３記載の嗜好性飲料抽出袋。
【発明の詳細な説明】
【技術分野】
【０００１】
本発明は、コーヒー粉や茶葉等を収納してなる嗜好性飲料抽出袋に関し、袋の口が水平を維持して注湯しやすく、かつ、コクのある風味の嗜好性飲料が得られる嗜好性抽出袋に関するものである。
【背景技術】
【０００２】
嗜好性飲料抽出袋は、その内部にコーヒー粉や茶葉等の被抽出物を収納してなるものであり、袋の口を開いて湯を注ぐことによって、コーヒーや茶が抽出されるものである。かかる嗜好性飲料抽出袋としては種々のタイプがあるが、図１及び図２に示したタイプのものが知られている。すなわち、コーヒー粉等の被抽出物を収納しコーヒー等を抽出するための袋本体１と、この袋本体１の表裏面に貼着された係止具２とからなるものが知られている（特許文献１）。袋本体１は通水性の不織布、紙又は織・編物等を素材として形成されており、係止具２は通水性のない厚手の紙を素材として形成されている。そして、表裏面に貼着された各係止具２は、手指で持って相互に反対方向に引っ張られ、袋本体１の口１ａが開けられて、その口１ａから湯が注がれるのである。
【０００３】
袋本体１の形状が長方形である図１に示した抽出袋は、口１ａを開けた場合、全体が略直方体形状となり、その底部１ｂが漏斗の如く細長い形状にならず、注いだ湯の滞留時間が短く、抽出が不十分となることがあった。たとえば、コーヒー粉の場合、抽出されたコーヒーが薄く、糖度も低いものとなり、コクのある風味のコーヒーが得られにくいという欠点があった。一方、袋本体１の形状が扇形である図２に示した抽出袋は、口１ａを開けた場合、全体が略円錐形状となり、その底部１ｂが漏斗の如く細長い形状となっているため、注いだ湯の滞留時間が長くなり、十分に抽出された嗜好性飲料を得ることができる。しかしながら、図２に示した袋本体１の場合、口１ａを開いたとき、その口が水平にならず、大きく湾曲した形状となる。したがって、湾曲した最上位置と最下位置との差が大きく、湯を注ぐと、最下位置から湯が外に漏れてしまうという欠点があった。
【０００４】
このため、本件出願人は、袋本体１の口１ａを開いたとき、袋本体１の底部１ｂが漏斗の如く細長い形状になると共に、開いた口が湾曲せずに略水平となる嗜好性飲料抽出袋を提供するため、先願発明を提案した（特許文献２）。この先願発明は、コーヒー粉等の被抽出物を収納しコーヒー等を抽出するための袋本体１と、該袋本体１の表裏面に貼着された係止具２とからなる嗜好性飲料抽出袋において、該袋本体１は、
2016131647.tif 000003
なる左右対称の略五角形片が重ね合わされてなるものであり、該略五角形片の下端から左右に延びる下左右辺は封されていて、該略五角形片の下端が該袋本体の底部に相当し、該略五角形片の水平である上辺及び該上辺に連続している上左右辺が該袋本体の口に相当することを特徴とする嗜好性飲料抽出袋に関するものである。
【０００５】
【特許文献１】特開平０６−３２７５６３号公報（図１及び図６）
【特許文献２】特願２０１４−５４２０９号
【発明の開示】
【発明が解決しようとする課題】
【０００６】
本発明は先願発明の改良に関するものであり、係止具として、袋本体１を囲繞すると共に、所定の構成を持つものを採用することによって、袋の口をより水平になるようにした嗜好性飲料抽出袋を提供するものである。
【課題を解決するための手段】
【０００７】
本発明は、袋本体１を囲繞する係止具を採用すると共に、この係止具の下部を表裏面で二分割することによって、上記課題を解決したものである。すなわち、本発明は、コーヒー粉等の被抽出物を収納しコーヒー等を抽出するための袋本体と、該袋本体を囲繞し、コーヒーカップ等の容器の口縁を挟んで係止するための係止具とからなる嗜好性飲料抽出袋において、前記袋本体は
2016131647.tif 000004
なる左右対称の略五角形片が重ね合わされてなるものであり、該略五角形片の下端から左右に延びる下左右辺は封されていて、該略五角形片の下端が該袋本体の底部に相当し、該略五角形片の水平である上辺及び該上辺に連続している上左右辺が該袋本体の口に相当し、前記係止具は、前記袋本体に貼着されている上部と、前記袋本体に貼着されておらず前記容器の前記口縁に係止しうる下部とを具備し、該上部の上辺及び上左右辺は前記袋本体の上辺及び上左右辺と平行に配置されており、該下部は前記袋本体の表裏面において左右に二分割されていて、前記袋本体の前記下左右辺に対応する下左右辺を内側に圧して前記袋本体の口を開いたとき、前記袋本体の表裏面に存在する左側の下部が左係止具となり、前記袋本体の表裏面に存在する右側の下部が右係止具となることを特徴とする嗜好性飲料抽出袋に関するものである。
【０００８】
本発明の袋本体１は、図３に示す如く左右対称の略五角形片の形状を持つ。ここで、略五角形片というのは、基本的に五角形なる形状を持つ片を意味しており、上記図の各角が若干切除されていても又は各角が丸みを持っていても、上辺α、上右辺β、上左辺γ、下右辺δ及び下左辺εの五辺で、基本的に形成されてなる片のことを意味している。重ね合わされた表裏の略五角形片の下左右辺δ及びεは、、熱シールで、もしくはシートの折り返しにより、封されている。そして、上辺α、上左右辺β及びγは封されておらず、袋本体１を開いたときは、この上辺α、上左右辺β及びγが袋本体１の口１ａになる。下左右辺δ及びεの交点は袋本体１の底部１ｂとなるもので、この交点のなす角度は９０度であるのが好ましい。もちろん、厳密に９０度である必要はなく、８５〜９４度程度の範囲の誤差があってもよい。上辺αと上右辺β及び上αと上左辺γのなす角度は、１３５度±５％程度の範囲が好ましい。
【０００９】
袋本体１に囲繞される係止具２は、基本的に袋本体１の底部１ｂを除き、概ね袋本体１と同様の形状をしている。したがって、係止具２には、袋本体１の上辺α、上右辺β、上左辺γ、下右辺δ及び下左辺εに概ね対応する各辺を有している。また、係止具２は、袋本体１の表裏面において同一の形状となっていて、袋本体１を囲繞している。
【００１０】
係止具２は、上部２ｘと下部２ｙとを具備している。上部２ｘは、袋本体１の表裏に亙って貼着されている。上部２ｘの上辺及び上左右辺は前記袋本体の上辺及び上左右辺に対応して平行に配置されている。下部２ｙは、袋本体１に貼着されておらず、これは引き起こされることにより、左右係止具２ａ及び２ｂとなるものである。したがって、下部２ｙは、袋本体１の表裏面において縦方向に切断されており、左右に二分割されている。
【００１１】
この係止具２は、特許文献２の図４に示した係止具とは異なるものである。すなわち、後者の係止具は、袋本体１の表裏方向に引っ張ることにより引き起こされるものであるが、本発明で用いる係止具２は、袋本体１の下左右辺δ及びεに対応する下部２ｙの下左右辺を内側に圧することにより、引き起こされるものである。そして、下部２ｙは、袋本体１の表裏において同一の形状となっているので、下部２ｙの左側が左係止具２ａとなり、下部２ｙの右側が右係止具２ｂとなるものである。
【００１２】
係止具２の上部２ｘが袋本体１の下左右辺δ及びεに亙る部位において、切り欠き２ｋが設けられているのが好ましい。この切り欠き２ｋにより、下部２ｙの下左右辺を内側に圧しやすくなるからである。また、袋本体１の下左右辺δ及びεに対応する下部２ｙの下左右辺に縦弱め線２ｔが設けられているのが好ましい。この縦弱め線２ｔもまた、下部２ｙの下左右辺を内側に圧しやすくするものである。さらに、縦弱め線２ｔに直交する横弱め線２ｗを設けておくことも好ましいことである。縦弱め線２ｔ及び横弱め線２ｗにより、下部２ｙの下左右辺を内側に圧して、左右係止具２ａ及び２ｂが引き起こされたとき、左右係止具２ａ及び２ｂが直立しやすくなるからである。なお、弱め線としてはミシン目であっても、間隔を置いて設けたスリットの如きものであってもよい。
【発明の効果】
【００１３】
本発明に係る嗜好性飲料抽出袋は、係止具が袋本体を囲繞しており、係止具の上部が袋本体の上辺及び上左右辺に対応し平行に貼着されているので、開いた袋の口となる上辺及び上左右辺を水平に維持しやすくなる。また、係止具は袋本体の表裏方向に引っ張って引き起こされるのではなく、袋本体の封された下左右辺に対応する係止具の左右辺を圧して引き起こされるものであるため、封された下左右辺に応力が負荷されにくく、開いた口が歪みにくくなる。したがって、本発明に係る嗜好性飲料抽出袋を用いれば、注湯しやすいという効果を奏するものである。
【実施例】
【００１４】
実施例１
図４は本発明の一例に係る嗜好性飲料抽出袋の表面図である。裏面図は表面図と同一となっている。図６は、図４の嗜好性飲料抽出袋の袋本体１の口を開いた状態の左側面図であり、左係止具２ａが引き起こされた状態を示したものである。右側面図は左側面図と同一であって、左係止具２ａと同一の右係止具２ｂが存在している。左係止具２ａの最下部には、左右に開閉しうる係止部２ｐ及び２ｐ’が設けられている。この係止部２ｐ及び２ｐ’を開いて、コーヒーカップ等の容器の口縁を挟むことによって、嗜好性飲料抽出袋を容器上に載置することができる。
【００１５】
実施例２
図５は本発明の他の例に係る嗜好性飲料抽出袋の表面図である。裏面図は表面図と同一となっている。図７は、図５の嗜好性飲料抽出袋の袋本体１の口を開いた状態の左側面図であり、左係止具２ａが引き起こされた状態を示したものである。右側面図は左側面図と同一であって、左係止具２ａと同一の右係止具２ｂが存在している。左係止具２ａの最下部には、実施例１とは異なる左右に開閉しうる係止部２ｐ及び２ｐ’が設けられている。この係止部２ｐ及び２ｐ’を開いて、コーヒーカップ等の容器の口縁を挟むことによって、嗜好性飲料抽出袋を容器上に載置することができる。
【００１６】
実施例１及び２に示したように、図４及び図５に示した嗜好性飲料抽出袋の各係止具２ａは、直立した状態となっている。また、実施例１及び２から明らかなように、係止部２ｐ及び２ｐ’は、種々の他の形状への変更が任意に可能である。
【図面の簡単な説明】
【００１７】
【図１】従来の一例に係る嗜好性飲料抽出袋の表面図である。
【図２】従来の他の例に係る嗜好性飲料抽出袋の表面図である。
【図３】本発明に用いる袋本体の形状の一例を示す表面図である。
【図４】本発明の一例に係る嗜好性飲料抽出袋の表面図（表面写真）である。裏面図は表面図と同一である。なお、黒地色の箇所は背景であり、右端の白地色の箇所は符号を書するために設けたものである。
【図５】図４に示した嗜好性飲料抽出袋の係止具が引き起こされ、袋本体の口を開いたときの左側面図である。右側面図は左側面図と同一である。なお、黒地色の箇所は背景であり、右端の白地色の箇所は符号を書するために設けたものである。
【図６】本発明の他の例に係る嗜好性飲料抽出袋の表面図（表面写真）である。裏面図は表面図と同一である。なお、黒地色の箇所は背景であり、右端の白地色の箇所は符号を書するために設けたものである。
【図７】図５に示した嗜好性飲料抽出袋の係止具が引き起こされ、袋本体の口を開いたときの左側面図である。右側面図は左側面図と同一である。なお、黒地色の箇所は背景であり、右端の白地色の箇所は符号を書するために設けたものである。
【符号の説明】
【００１８】
１          袋本体
２          係止具
１ａ        袋本体の口
１ｂ        袋本体の底部
２ａ        左係止具
２ｂ        右係止具
２ｋ        切り欠き
２ｐ，２ｐ’係止部
２ｔ        縦弱め線
２ｗ        横弱め線
２ｘ        係止具の上部
２ｙ        係止具の下部
α          略五角形片の上辺
β          略五角形片の上右辺
γ          略五角形片の上左辺
δ          略五角形片の下右辺
ε          略五角形片の下左辺
【図１】
2016131647.tif 000006
【図２】
2016131647.tif 000007
【図３】
2016131647.tif 000008
【図４】
2016131647.tif 000009
【図５】
2016131647.tif 000010
【図６】
2016131647.tif 000011
【図７】
2016131647.tif 000012